(57)【要約】日常生活に於いて常に埃の付着していない清透な状態にて手に入るよう身につけておくことができ、使用に当ってケーの除去の如き面倒な操作を要しない拡大鏡を提供する。万年筆のシャフトとキャップの組合せに類似の軸体と頭体の組合せよりなり、軸体にその長手方向に沿った一対の透視長孔を設け、軸体内に軸体の透視長孔に整合する一対の透視長孔を備えた筒体とそれに整合した一対のレンズ部を含むレンズ体とを軸体に対し回動可能に設け、軸体と頭体の間を９０度捩ることによりレンズ部が軸体の透視長孔に整合する状態と、軸体の透視長孔が筒体の非透視長孔部により塞がれる状態とが切り換えられるようにする。
2003107069.tif 000002
【特許請求の範囲】
【請求項１】
万年筆のシャフトとキャップの組合せに類似の軸体と頭体の組合せを有し、前記軸体はその長手方向に沿って配置された一対の透視長孔を有しており、前記軸体内には該軸体の透視長孔に整合する一対の透視長孔を備えた筒体が前記軸体に対し同心に回動し得るよう配置されており、前記筒体内にはその一対の透視長孔に整合した一対のレンズ部を含むレンズ体が装着されており、前記筒体と前記レンズ体とは前記頭体が前記軸体に対し共通の中心軸線の周りに回動されることにより前記頭体に連れて同時に前記軸体に対し共通の中心軸線の周りに回動し、両者の間の相対的回動角が９０度変化する毎に、該筒体の一対の透視長孔と前記一対のレンズ部とが前記軸体の一対の透視長孔に整合する状態と、前記軸体の一対の透視長孔が前記筒体の非透視長孔部により塞がれる状態とが交互に生ずるようになっていることを特徴とする万年筆型拡大鏡。
【請求項２】
前記軸体は円筒状の開口端を有し、該円筒状開口端にはその内側を縁取る環状部材が装着されており、前記頭体は前記環状部材の内側に挿入されてこれに係合する首部を有し、該首部には第一のクリップ部とこれより更に前記軸体内へ延在する第二のクリップ部とが設けられており、前記頭体は前記第一のクリップ部にて前記環状部材を介して前記軸体に係合した位置に保持され、前記第二のクリップ部にて前記レンズ体に係合してこれを回動させるようになっていることを特徴とする請求項１に記載の万年筆型拡大鏡。
【請求項３】
前記第一のクリップ部は前記軸体に対し前記頭体が回動するとき前記環状部材の内周面に沿って摺動し、前記環状部材の内周面は前記軸体に対し前記頭体が９０度回動する毎に前記第一のクリップ部を捕捉してその回動抵抗を増大させるクリックストップ手段を備えていることを特徴とする請求項２に記載の万年筆型拡大鏡。
【請求項４】
前記第二のクリップ部は一対の弾力的に拡がる脚端を成し、前記レンズ体のテーパ状端部をその間に弾力的に挟み込む態様にて該レンズ体と回転駆動係合するようになっていることを特徴とする請求項を２または３に記載の万年筆型拡大鏡。
【発明の詳細な説明】
発明の背景
技術分野
本発明は、日常随時細かな活字等の対象物の拡大視が望まれるとき使用される拡大鏡に係わる。
従来の技術
日常時随時細かな活字等の拡大視が望まれるとき使用される拡大鏡としては、レンズに柄のついた所謂虫めがねに始まり、近年ではレンズを折り畳んで収納するケースがレンズを取り出したときに柄の働きをする折り畳み式拡大鏡等種々のデザインのものが提案されまた使用されている。
折り畳み式拡大鏡はポケットに収納できるので、常に忘れずにポケットに入れて持ち歩くよう気をつけていれば、いつでも必要な時拡大視の要を満たすことができるが、ポケット収納では一度使用したとき、その場に置き忘れやすく、また夏季の上着を着ていないときには、携帯しにくい。
一方、拡大鏡としてはプラスチック製棒状波形レンズの如き簡易なものもあり、これらはシャツの胸ポケットにも収納できるが、波形レンズを裸のまま胸ポケットに入れておくと波形面が埃を捕捉してその透明度が急速に低下する。プラスチック製棒状波形レンズは櫛と同様に収納ケースに入れておくこともできるが、使用に当たってー々レンズ棒を収納ケースより取り出すのは面倒であり、またやがて収納ケースが何処かに置き去られるおそれがある。
発明の概要
本発明は、日常生活に於いて随時細かな活字等の拡大視を望むとき常に埃の付着していない清透な状態にて手に入るよう身につけておくことができ、使用に当ってケーの除去の如き面倒でまた復元が疎かにになりがちな操作を要しない拡大鏡を提供することを課題としている。
上記の課題を解決するものとして、本発明は、万年筆のシャフトとキャップの組合せに類似の軸体と頭体の組合せを有し、前記軸体はその長手方向に沿って配置された一対の透視長孔を有しており、前記軸体内には該軸体の透視長孔に整合する一対の透視長孔を備えた筒体が前記軸体に対し同心に回動し得るよう配置されており、前記筒体内にはその一対の透視長孔に整合した一対のレンズ部を含むレンズ体が装着されており、前記筒体と前記レンズ体とは前記頭体が前記軸体に対し共通の中心軸線の周りに回動されることにより前記頭体に連れて同時に前記軸体に対し共通の中心軸線の周りに回動し、両者の間の相対的回動角が９０度変化する毎に、該筒体の一対の透視長孔と前記一対のレンズ部とが前記軸体の一対の透視長孔に整合する状態と、前記軸体の一対の透視長孔が前記筒体の非透視長孔部により塞がれる状態とが交互に生ずるようになっていることを特徴とする万年筆型拡大鏡を提案するものである。
前記軸体は円筒状の開口端を有し、該円筒状開口端にはその内側を縁取る環状部材が装着されており、前記頭体は前記環状部材の内側に挿入されてこれに係合する首部を有し、該首部には第一のクリップ部とこれより更に前記軸体内へ延在する第二のクリップ部とが設けられており、前記頭体は前記第一のクリップ部にて前記環状部材を介して前記軸体に係合した位置に保持され、前記第二のクリップ部にて前記レンズ体に係合してこれを回動させるようになっていてよい。
前記第一のクリップ部は前記軸体に対し前記頭体が回動するとき前記環状部材の内周面に沿って摺動し、前記環状部材の内周面は前記軸体に対し前記頭体が９０度回動する毎に前記第一のクリップ部を捕捉してその回動抵抗を増大させるクリックストップ手段を備えていてよい。
前記第二のクリップ部は一対の弾力的に拡がる脚端を成し、前記レンズ体のテーパ状端部をその間に弾力的に挟み込む態様にて該レンズ体を回転させるようこれと係合するようになっていてよい。
拡大鏡が万年筆のシャフトとキャップの組合せに類似の軸体と頭体の組合せを有し、前記軸体はその長手方向に沿って配置された一対の透視長孔を有しており、前記軸体内には該軸体の透視長孔に整合する一対の透視長孔を備えた筒体が前記軸体に対し同心に回動し得るよう配置されており、前記筒体内にはその一対の透視長孔に整合した一対のレンズ部を含むレンズ体が装着されており、前記筒体と前記レンズ体とは前記頭体が前記軸体に対し共通の中心軸線の周りに回動されることにより前記頭体に連れて同時に前記軸体に対し共通の中心軸線の周りに回動し、両者の間の相対的回動角が９０度変化する毎に、該筒体の一対の透視長孔と前記一対のレンズ部とが前記軸体の一対の透視長孔に整合する状態と、前記軸体の一対の透視長孔が前記筒体の非透視長孔部により塞がれる状態とが交互に生ずるようになっていれば、万年筆状の細長い形態を利用して両眼に対し一対のレンズを揃えることにより、両眼を用いて立体感のある拡大視を行なうことができる拡大鏡を、嵩張ることなく、万年筆と同様に常時シャツの胸ポケットに安定した状態に収納しておくことができる形態にて得ることができる。また、拡大鏡の収納時には前記軸体に対する前記頭体の回動位置を使用時より９０度回動させておくことにより、前記軸体の一対の透視長孔は前記筒体の非透視長孔部により塞がれるので、その内部に収納されたレンズ体は露呈されず、埃等による汚染から良好に保護される。
万年筆のシャフトとキャップに類似の態様に組み合わされた前記軸体と前記頭体とを、拡大鏡の使用開始時と使用終了時に９０度だけ相互にひねる操作は、例えば従来の収納ケース付きレンズと比較すれば、拡大鏡の使用にあたって収納ケースよりレンズを取り出し、一時不要となりまた邪魔になる収納ケースを始末し、拡大鏡の使用が終わったときには収納ケースを改めて確認してその中にレンズを挿入する操作に比して遙に簡便であり、また拡大鏡の使用中に収納ケースが物陰に隠れて一時的にまたは半永久的に紛失状態となるような不便を生ずることもない。
前記軸体が円筒状の開口端を有し、該円筒状開口端にはその内側を縁取る環状部材が装着されており、前記頭体は前記環状部材の内側に挿入されてこれに係合する首部を有し、該首部には第一のクリップ部とこれより更に前記軸体内へ延在する第二のクリップ部とが設けられており、前記頭体は前記第一のクリップ部にて前記環状部材を介して前記軸体に係合した位置に保持され、前記第二のクリップ部にて前記レンズ体に係合してこれを回動させるようになっていれば、一対のレンズ部を有するレンズ体を万年筆のシャフトのような物体内に何時でも容易に使用可能に収納することができ、また非使用時には一対のレンズ部が外部に露呈されないよう周りから遮断された状態に保持する構造を容易に達成することができる。
前記第一のクリップ部が前記軸体に対し前記頭体が回動するとき前記環状部材の内周面に沿って摺動し、前記環状体の内周面は前記軸体に対し前記頭体が９０度回動する毎に前記第一のクリップ部を捕捉してその回動抵抗を増大させるクリックストップ手段を備えていていれば、拡大鏡を収納状態と使用状態との間に切り換える操作が容易に、快適に、確実に達成される。
前記第二のクリップ部が一対の弾力的に拡がる脚端を成し、前記レンズ体のテーパ状端部をその間に弾力的に挟み込む態様にて該レンズを回転駆動するようこれと係合するようになっていれば、前記軸体内にその開口端より前記筒体と前記レンズ体を挿入し、その後該開口端に前記環状部材を装着し、次いで前記頭体の首部を前記環状部材を通して前記軸体内に挿入するだけで前記頭体にてレンズを回転させるよう両者を連結することができる。
好ましい実施態様の説明
添付の図面に於ける図１は、本発明による万年筆型拡大鏡の一つの実施例を示す側面図である。図は上記の軸体に対し上記の頭体が拡大鏡の使用状態をなすように回動された状態を示している。図に於いて、１が軸体であり、２が頭体である。頭体２は拡大鏡を軸体１の部分にてシャツの胸ポケットに収納した際にポケットの上布の上縁を軸体１との間に挟んでその収納状態を安定化させる万年筆に於けると同様の外クリップ３を備えている。４および５は軸体１に設けられた一対の透視長孔である。但し、ここで一対とは透視長孔としてであり、軸体１に明けられた孔としては１つの透視長孔に対し軸体の直径方向に対向して２つの孔が明けられているので、孔の合計は４つである。透視長孔４および５の周縁に沿って描かれた一点鎖線による長円状の輪郭は軸体１内に収められているレンズ体の一対のレンズ部を示している。尚、軸体１の端部（図にて右端）に丸みをもたせる半球状の突出部は軸体と一体に形成されても或いは別部材の付加によって形成されてもよい。
図２は、図１に示す万年筆型拡大鏡の軸体１の部分の内部構造を示すべくこの部分を縦断面にして示す図である。そして図３は図２に縦断面にて示されている部分の両端部を拡大して示す図である。
これらの図より理解される通り、図示の実施例に於いては、軸体１は図にて右端が閉じられた比較的薄い肉厚の円筒状をなしており、例えばアルミ合金等の軽い金属材または合成樹脂材より作られていてよい。軸体１内には、それがなす円筒体の内周面に軽く接触して沿うような円筒状外周面を有する筒体８が設けられている。筒体８は合成樹脂材より作られていてよい。筒体８にはそれが軸体１に対し所定の回動位置にあるとき軸体１の透視長孔４および５に整合する一対の透視長孔９および１０が設けられている。透視長孔９および１０も筒体８に明けられ孔としては４つである。筒体８の右端は、図示の実施例に於いては、別部材として構成された蓋体１１により閉じられている。蓋体１１は筒体８の端部の周縁の内側に沿う直径方向に対向した２カ所に筒体８内に延在する円弧状の脚部１２を備えており、これらの部分にて筒体８に安定して組み合わされると同時に後述のレンズ体の一端を保持している。蓋体１１の外面には筒体８を軸体１内にて回動させることを容易にする枢支点となる球面状突起１３が形成されている。
筒体８内には上述の一対のレンズ部６および７を備えた棒状のレンズ体１４が収められている。レンズ体１４の一対のレンズ部６および７は、それぞれが個別の凸レンズをなすものであり、或いはこれを模した波形レンズであるのが好ましい。レンズ体１４の図に於ける右端にはテーパ部１５が形成されており、レンズ体１４が蓋体１１へ向けて押圧されたとき、このテーパ部にて蓋体１１の一対の脚部１２に楔係合することにより、レンズ体１４は筒体８と一体となって軸体１内に回動するようになっている。尚、脚部１２には図示の実施例の如くレンズ体のテーパ部１５を受け入れる切欠き１６が形成されていてよい。
軸体１の図にて左方に於ける開口端には、僅かに弾力性を有することにより軸体１の開口端の内側に弾力的に締り係合するよう構成された半硬質樹脂材よりなる環状部材１７が装着されている。そしてこの環状部材内にそれを貫通するように頭体２の首部１８が嵌め込まれ、その一部に直径方向に対向して設けられた一対のクリップ部１９が環状部材１７の内周面に沿って設けられた円環状溝２０に係合することにより、頭体２は軸体１に対しに図示の如き装着位置に保持されるようになっている。円環状溝２０にはそれに沿って等間隔に隔置された４カ所に窪み２１が設けられており、クリップ部１９の先端がこれらの窪みの一つに係合したときには、そこに軽く係止されることによりクリックストップ感が生じ、軸体１に対する頭体２の回動位置が図１〜３に示す位置にある使用状態と、これより９０度ずれた収納状態とが明確に判別されるようになっている。
頭体２の首部１８にはまた、クリップ部１９よりも更に軸体１内へ延在し直径方向に対向する一対のクリップ部２２が設けられている。これら一対のクリップ部２２はその間の間隔が弾力的に開く一対の脚端をなしており、頭部２がその首部１８にて環状部材１７を装着された軸体１の開口端に装着されたとき、該一対の脚端間にレンズ体１４の図に於ける左端に形成されたテーパ部２３を弾力的に挟み込み、これによって頭体２の回動によりレンズ体１４を筒体８ごと回転駆動する両者間のトルク伝達係合を達成するようになっている。クリップ部２２には図示の実施例に於ける如くテーパ部２３を受け入れる切欠き２４が形成されていてよい。
図４は、上記の如き頭体２とレンズ体１４および筒体８間のトルク伝達係合を伴って軸体１に対し頭体２が図１に示す状態から９０度回動された状態を示す同様の側面図である。この状態では軸体１の一対の透視長孔４および５は筒体８の透視長孔９および１０が形成されていない非透視長孔部２５により塞がれるており、レンズ体１４は外部に露呈されないようになっている。
かくして、本発明によれば、非使用時には図４に示す如く軸体１の一対の透視長孔４および５が筒体８の非透視長孔部２５にて塞がれ、レンズ部が外部に露呈されることなく万年筆に類似の外形なし、万年筆と同様の要領によりシャツの胸ポケットに収めておくことができ、使用時には単にそれを胸ポケットより取り出し、軸体１と頭体２とを相互に９０度捩れば直ちに両眼を用いた立体的拡大視ができ、その際ケース等の何らの取り外し物を生じず、また使用後には軸体１と頭体２とを相互に９０度捩っておくだけでまた胸ポケットに収納できる拡大鏡を得ることができる。
以上に於いては本発明を一つの実施例について詳細に説明したが、かかる実施例について本発明の範囲内にて種々の修正が可能であることは当業者にとって明らかであろう。
【図面の簡単な説明】
図１は、本発明による万年筆型拡大鏡の一つの実施例を使用時の状態にて示す側面図である。
図２は、図１に示す万年筆型拡大鏡の要部の内部構造示す縦断面図である。
図３は、図２に示す断面構造の両端部を拡大して示す図である。
図４は、図１に示す万年筆型拡大鏡を収納状態にて示す側面図である。
【図１】
2003107069.tif 000003
【図２】
2003107069.tif 000004
【図３】
2003107069.tif 000005
【図４】
2003107069.tif 000006
【国際調査報告】
2003107069.tif 000007
2003107069.tif 000008